(57)【要約】      （修正有）【課題】プロジェクターのスピーカーの音出力状態の制御にプロジェクターから投射面までの距離に関する情報を反映できる技術を提供する。【解決手段】第１フォーカスレンズを介して第１画像５１を投射面３に投射し音信号に基づく音を出力する第１プロジェクター１１と、第２フォーカスレンズを介して第２画像５２を投射面に投射し音信号に基づく音を出力する第２プロジェクター１２を有する表示システム１０００が実行する音出力制御方法は、第２プロジェクターが、投射面における第２画像のフォーカスの状態に基づいて第２フォーカスレンズの位置を設定し、第２フォーカスレンズの位置に関する位置情報を送信し、第１プロジェクターが、位置情報を受信し、投射面における第１画像のフォーカスの状態に基づいて第１フォーカスレンズの位置を設定し、位置情報と第１フォーカスレンズの位置とに基づいて第１プロジェクターからの音の出力を制御する。【選択図】図１
2020182049.tif 000002
【特許請求の範囲】
【請求項１】
第１フォーカスレンズを介して第１画像を投射面に投射し、かつ、音信号に基づく音を出力する第１プロジェクターと、
第２フォーカスレンズを介して第２画像を前記投射面に投射し、かつ、前記音信号に基づく音を出力する第２プロジェクターと、
を有する表示システムが実行する音出力制御方法であって、
前記第２プロジェクターが、前記投射面における前記第２画像のフォーカスの状態に基づいて前記第２フォーカスレンズの位置を設定し、
前記第２プロジェクターが、前記第２フォーカスレンズの位置に関する位置情報を送信し、
前記第１プロジェクターが、前記位置情報を受信し、
前記第１プロジェクターが、前記投射面における前記第１画像のフォーカスの状態に基づいて前記第１フォーカスレンズの位置を設定し、
前記第１プロジェクターが、前記位置情報と、前記第１フォーカスレンズの位置と、に基づいて、前記第１プロジェクターからの音の出力を制御する、
音出力制御方法。
【請求項２】
前記第１プロジェクターは、
前記第１フォーカスレンズの位置に基づいて推定される前記投射面と前記第１プロジェクターとの間の第１距離と、
前記位置情報に基づいて推定される前記投射面と前記第２プロジェクターとの間の第２距離と、の関係に基づいて、前記第１プロジェクターからの音の出力を制御する、
請求項１に記載の音出力制御方法。
【請求項３】
前記音信号は、サラウンドチャネル信号と、前記サラウンドチャネル信号とは異なるチャネル信号と、を含むサラウンドオーディオ信号であり、
前記第１プロジェクターは、
前記第２距離が、前記第１距離と第１所定距離との和よりも長い場合、前記サラウンドチャネル信号とは異なるチャネル信号に基づく音を出力し、
前記第１距離が、前記第２距離と第２所定距離との和よりも長い場合、前記サラウンドチャネル信号に基づく音を出力する、
請求項２に記載の音出力制御方法。
【請求項４】
前記第１プロジェクターと前記第２プロジェクターは、前記音信号の供給元とデイジーチェーン方式で接続されており、
前記第１プロジェクターは、前記位置情報と、前記第１フォーカスレンズの位置と、前記デイジーチェーン方式における前記第１プロジェクターの接続の順番と、に基づいて、前記第１プロジェクターからの音の出力を制御する、
請求項１から３のいずれか１項に記載の音出力制御方法。
【請求項５】
前記第２プロジェクターは、
前記表示システムにより前記投射面に投射されるべき投射画像における前記第２画像の領域を示す第２領域情報に基づいて、前記投射画像を示す投射画像信号から前記第２画像を示す第２画像信号を取得し、
前記第２画像信号を用いて前記第２画像を前記投射面に投射し、
前記第１プロジェクターは、
前記投射画像における前記第１画像の領域を示す第１領域情報に基づいて、前記投射画像信号から前記第１画像を示す第１画像信号を取得し、
前記第１画像信号を用いて前記第１画像を前記投射面に投射し、
前記位置情報と、前記第１フォーカスレンズの位置と、前記第１領域情報と、に基づいて、前記第１プロジェクターからの音の出力を制御する、
請求項１から３のいずれか１項に記載の音出力制御方法。
【請求項６】
第１プロジェクターと第２プロジェクターとを含み、
前記第１プロジェクターは、
第１フォーカスレンズと、
前記第１フォーカスレンズを介して第１画像を投射面に投射する第１投射部と、
音信号に基づく音を出力する第１スピーカーと、
前記投射面における前記第１画像のフォーカスの状態に基づいて前記第１フォーカスレンズの位置を設定する第１設定部と、
を含み、
前記第２プロジェクターは、
第２フォーカスレンズと、
前記第２フォーカスレンズを介して第２画像を前記投射面に投射する第２投射部と、
前記音信号に基づく音を出力する第２スピーカーと、
前記投射面における前記第２画像のフォーカスの状態に基づいて前記第２フォーカスレンズの位置を設定する第２設定部と、
前記第２フォーカスレンズの位置に関する位置情報を送信する送信部と、
を含み、
前記第１プロジェクターは、さらに、
前記位置情報を受信する受信部と、
前記位置情報と、前記第１フォーカスレンズの位置と、に基づいて、前記第１スピーカーからの音の出力を制御する音制御部と、
を含む、
表示システム。
【請求項７】
第１フォーカスレンズを介して第１画像を投射面に投射し、かつ、音信号に基づく音を出力する表示装置が実行する音出力制御方法であって、
第２フォーカスレンズを介して第２画像を前記投射面に投射し前記音信号に基づく音を出力する他の表示装置から、前記投射面における前記第２画像のフォーカスの状態に基づいて設定される前記第２フォーカスレンズの位置に関する位置情報を受信し、
前記投射面における前記第１画像のフォーカスの状態に基づいて前記第１フォーカスレンズの位置を設定し、
前記位置情報と、前記第１フォーカスレンズの位置と、に基づいて、前記表示装置からの音の出力を制御する、
音出力制御方法。
【発明の詳細な説明】
【技術分野】
【０００１】
本発明は、音出力制御方法および表示システムに関する。
【背景技術】
【０００２】
特許文献１には、プロジェクターが有するスピーカーの音出力状態を制御する技術が記載されている。この技術では、まず、複数のプロジェクターの各々から投射された投射画像を投射面上で繋ぎ合わせた合成画像が、カメラによって撮像される。続いて、合成画像の撮像結果に基づいて、複数のプロジェクターの相対的な位置関係が推定される。続いて、この推定結果に基づいて、プロジェクターのスピーカーが、サラウンドシステムを構成する複数のスピーカーのいずれかに割り当てられる。
【先行技術文献】
【特許文献】
【０００３】
【特許文献１】国際公開第２０１７／０３３５７４号
【発明の概要】
【発明が解決しようとする課題】
【０００４】
特許文献１に記載の技術では、合成画像の撮像結果に基づいて、すなわち、合成画像における各投射画像の相対的な位置関係を示す撮像画像に基づいて、複数のプロジェクターの相対的な位置関係が推定される。このため、特許文献１に記載の技術では、プロジェクターから投射面までの距離に関して特定できず、スピーカーの音出力状態の制御に、プロジェクターから投射面までの距離に関する情報を反映できなかった。
【課題を解決するための手段】
【０００５】
本発明に係る音出力制御方法は、第１フォーカスレンズを介して第１画像を投射面に投射し、かつ、音信号に基づく音を出力する第１プロジェクターと、第２フォーカスレンズを介して第２画像を前記投射面に投射し、かつ、前記音信号に基づく音を出力する第２プロジェクターと、を有する表示システムが実行する音出力制御方法であって、前記第２プロジェクターが、前記投射面における前記第２画像のフォーカスの状態に基づいて前記第２フォーカスレンズの位置を設定し、前記第２プロジェクターが、前記第２フォーカスレンズの位置に関する位置情報を送信し、前記第１プロジェクターが、前記位置情報を受信し、前記第１プロジェクターが、前記投射面における前記第１画像のフォーカスの状態に基づいて前記第１フォーカスレンズの位置を設定し、前記第１プロジェクターが、前記位置情報と、前記第１フォーカスレンズの位置と、に基づいて、前記第１プロジェクターからの音の出力を制御する。
【０００６】
本発明に係る表示システムは、第１プロジェクターと第２プロジェクターとを含み、前記第１プロジェクターは、第１フォーカスレンズと、前記第１フォーカスレンズを介して第１画像を投射面に投射する第１投射部と、音信号に基づく音を出力する第１スピーカーと、前記投射面における前記第１画像のフォーカスの状態に基づいて前記第１フォーカスレンズの位置を設定する第１設定部と、を含み、前記第２プロジェクターは、第２フォーカスレンズと、前記第２フォーカスレンズを介して第２画像を前記投射面に投射する第２投射部と、前記音信号に基づく音を出力する第２スピーカーと、前記投射面における前記第２画像のフォーカスの状態に基づいて前記第２フォーカスレンズの位置を設定する第２設定部と、前記第２フォーカスレンズの位置に関する位置情報を送信する送信部と、を含み、前記第１プロジェクターは、さらに、前記位置情報を受信する受信部と、前記位置情報と、前記第１フォーカスレンズの位置と、に基づいて、前記第１スピーカーからの音の出力を制御する音制御部と、を含む。
【０００７】
本発明に係る音出力制御方法は、第１フォーカスレンズを介して第１画像を投射面に投射し、かつ、音信号に基づく音を出力する表示装置が実行する音出力制御方法であって、第２フォーカスレンズを介して第２画像を前記投射面に投射し前記音信号に基づく音を出力する他の表示装置から、前記投射面における前記第２画像のフォーカスの状態に基づいて設定される前記第２フォーカスレンズの位置に関する位置情報を受信し、前記投射面における前記第１画像のフォーカスの状態に基づいて前記第１フォーカスレンズの位置を設定し、前記位置情報と、前記第１フォーカスレンズの位置と、に基づいて、前記表示装置からの音の出力を制御する。
【図面の簡単な説明】
【０００８】
【図１】第１実施形態に係る表示システム１０００の一例を示す図である。
【図２】第１プロジェクター１１の一例を示す図である。
【図３】第２プロジェクター１２の一例を示す図である。
【図４】第１投射部１６０の一例を示す図である。
【図５】第２プロジェクター１２の動作を説明するための図である。
【図６】第１プロジェクター１１の動作を説明するための図である。
【図７】メニュー画面の一例を示す図である。
【発明を実施するための形態】
【０００９】
Ａ：第１実施形態
Ａ１：表示システム１０００の概要
図１は、第１実施形態に係る表示システム１０００の一例を示す図である。表示システム１０００は、第１プロジェクター１１〜第８プロジェクター１８を含む。第１プロジェクター１１〜第８プロジェクター１８は、第１プロジェクター１１、第３プロジェクター１３、第５プロジェクター１５、第７プロジェクター１７、第８プロジェクター１８、第６プロジェクター１６、第４プロジェクター１４、第２プロジェクター１２の順番で、ソース機器２とデイジーチェーン方式で相互に接続されている。第１プロジェクター１１〜第８プロジェクター１８の接続形態は、デイジーチェーン方式の接続に限らず、適宜変更可能である。
【００１０】
以下、第１プロジェクター１１〜第８プロジェクター１８を相互に区別する必要がない場合、第１プロジェクター１１〜第８プロジェクター１８の各々を「プロジェクター１」と称する。表示システム１０００に含まれるプロジェクター１の数は８台に限らず、２台以上であればよい。プロジェクター１は、表示装置の一例である。
【００１１】
第１プロジェクター１１〜第８プロジェクター１８の各々は、投射面３に画像を投射し、かつ、音を出力する。
第１プロジェクター１１と第３プロジェクター１３と第５プロジェクター１５と第７プロジェクター１７の各々は、投射面３からの距離が第１基準距離未満となる位置に配置されている。以下、投射面３からの距離が第１基準距離未満となる位置を「前方位置」とも称する。
第２プロジェクター１２と第４プロジェクター１４と第６プロジェクター１６と第８プロジェクター１８の各々は、投射面３からの距離が、第２基準距離以上となる位置に配置されている。なお、第２基準距離は第１基準距離よりも長い。以下、投射面３からの距離が第２基準距離以上となる位置を「後方位置」とも称する。
【００１２】
ユーザーは、例えば、リスニングポジションＬＰで第１プロジェクター１１〜第８プロジェクター１８の各々から出力される音を聞く。リスニングポジションＬＰは、第１プロジェクター１１〜第８プロジェクター１８の各々から出力される音を聞くために予め設定された位置である。
【００１３】
リスニングポジションＬＰから投射面３までの距離は、第１基準距離よりも長く第２基準距離よりも短い。このため、ユーザーがリスニングポジションＬＰに位置する場合、第１プロジェクター１１と第３プロジェクター１３と第５プロジェクター１５と第７プロジェクター１７の各々は、ユーザーの前方に位置し、第２プロジェクター１２と第４プロジェクター１４と第６プロジェクター１６と第８プロジェクター１８の各々は、ユーザーの後方に位置する。
【００１４】
ソース機器２は、例えば、ＰＣ（Personal Computer）である。ソース機器２は、ＰＣに限らず、例えば、タブレット端末、スマートフォン、ビデオ再生装置、ＤＶＤ（Digital Versatile Disc）プレーヤー、ブルーレイディスクプレーヤー、ハードディスクレコーダー、テレビチューナー装置またはビデオゲーム機でもよい。
【００１５】
ソース機器２は、第１プロジェクター１１と接続されている。ソース機器２は、表示システム１０００によって投射面３に投射されるべき画像の一例である投射画像４を示す投射画像信号と、表示システム１０００によって出力されるべき音を示す音信号とを、第１プロジェクター１１に出力する。ソース機器２は、音信号の供給元の一例である。
【００１６】
投射画像信号と音信号は、第１プロジェクター１１、第３プロジェクター１３、第５プロジェクター１５、第７プロジェクター１７、第８プロジェクター１８、第６プロジェクター１６、第４プロジェクター１４、第２プロジェクター１２の順に転送される。
【００１７】
第１プロジェクター１１〜第８プロジェクター１８の各々は、投射画像４のうち互いに異なる部分を投射面３に投射する。投射画像４のうち、第１プロジェクター１１〜第８プロジェクター１８の各々が投射する部分は、第１プロジェクター１１〜第８プロジェクター１８に予め設定されている。
【００１８】
以下、第１プロジェクター１１が投射する画像を「第１投射画像５１」と称する。第２プロジェクター１２が投射する画像を「第２投射画像５２」と称する。第３プロジェクター１３が投射する画像を「第３投射画像５３」と称する。第４プロジェクター１４が投射する画像を「第４投射画像５４」と称する。第５プロジェクター１５が投射する画像を「第５投射画像５５」と称する。第６プロジェクター１６が投射する画像を「第６投射画像５６」と称する。第７プロジェクター１７が投射する画像を「第７投射画像５７」と称する。第８プロジェクター１８が投射する画像を「第８投射画像５８」と称する。
【００１９】
音信号は、サラウンドオーディオ信号である。音信号として、７．１チャネル信号が用いられる。７．１チャネル信号は、ＬＣ（左フロントチャネル）信号、ＲＣ（右フロントチャネル）信号、ＣＣ（センターチャネル）信号、ＳＬＣ（サラウンド左チャネル）信号、ＳＲＣ（サラウンド右チャネル）信号、ＳＢＬＣ（サラウンドバック左チャネル）信号、ＳＢＲＣ（サラウンドバック右チャネル）信号およびＬＦＥＣ（重低音強調効果チャネル）信号を含む。
ＬＣ信号、ＲＣ信号、ＣＣ信号、ＳＬＣ信号、ＳＲＣ信号、ＳＢＬＣ信号、ＳＢＲＣ信号およびＬＦＥＣ信号の各々は、チャネル信号である。
ＳＬＣ信号、ＳＲＣ信号、ＳＢＬＣ信号およびＳＢＲＣ信号の各々は、サラウンドチャネル信号の一例である。
ＬＣ信号、ＲＣ信号、ＣＣ信号およびＬＦＥＣ信号の各々は、サラウンドチャネル信号とは異なるチャネル信号の一例である。
音信号は、７．１チャネル信号に限らず、例えば、５．１チャネル信号でもよい。５．１チャネル信号は、ＬＣ信号、ＲＣ信号、ＣＣ信号、ＳＬＣ信号、ＳＲＣ信号およびＬＦＥＣ信号を含み、ＳＢＬＣ信号およびＳＢＲＣ信号を含まない。
【００２０】
第１プロジェクター１１〜第８プロジェクター１８の各々は、フォーカスレンズを有し、かつ、フォーカスレンズの位置を自動的に調整するオートフォーカス機能を有する。
【００２１】
第１プロジェクター１１は、第１プロジェクター１１〜第８プロジェクター１８の各々のフォーカスレンズの位置に基づいて、第１プロジェクター１１〜第８プロジェクター１８の各々からの音の出力を制御する。
例えば、第１プロジェクター１１は、第１プロジェクター１１〜第８プロジェクター１８の各々のフォーカスレンズの位置に基づいて、第１プロジェクター１１〜第８プロジェクター１８の各々に、７．１チャネル信号に含まれるチャネル信号のいずれかを割り当てる。
【００２２】
Ａ２：第１プロジェクター１１の一例
図２は、第１プロジェクター１１の一例を示す図である。第１プロジェクター１１は、表示装置の一例である。第１プロジェクター１１は、第１入力部１１０と、第１出力部１２０と、第１通信部１３０と、第１投射光学系１４０と、第１駆動部１５０と、第１投射部１６０と、第１カメラ１７０と、第１音処理部１８０と、第１スピーカー１９０と、第１記憶部２００と、第１処理部２１０と、第１操作部２２０と、を含む。
【００２３】
第１入力部１１０は、ソース機器２から、投射画像信号と音信号とを含むＡＶ（Audio Visual）信号を受ける。第１入力部１１０は、例えば、ＨＤＭＩ（High Definition Multimedia Interface）規格のインターフェイスである。ＨＤＭＩは登録商標である。第１入力部１１０は、ＨＤＭＩ規格のインターフェイスに限らない。例えば、第１入力部１１０は、無線または有線のＬＡＮ（Local Area Network）インターフェイスでもよい。
【００２４】
第１出力部１２０は、第１入力部１１０が受けたＡＶ信号を第３プロジェクター１３へ出力する。第１出力部１２０は、例えば、ＨＤＭＩ規格のインターフェイスである。第１出力部１２０は、ＨＤＭＩ規格のインターフェイスに限らない。例えば、第１出力部１２０は、無線または有線のＬＡＮインターフェイスでもよい。
【００２５】
第１通信部１３０は、ソース機器２および第３プロジェクター１３と通信する。例えば、第１通信部１３０は、ＨＤＭＩ規格に基づく通信を実行する。第１通信部１３０は、無線または有線のＬＡＮ通信を実行してもよい。第１通信部１３０は、ＨＤＭＩ規格に基づく通信と、無線または有線のＬＡＮ通信と、の両方を実行してもよい。以下では、第１通信部１３０が無線または有線のＬＡＮ通信を実行する例を説明する。第１通信部１３０は、第２プロジェクター１２〜第８プロジェクター１８の各々でのフォーカスレンズの位置を示す位置情報を受信する。第１通信部１３０は、受信部の一例である。
【００２６】
第１投射光学系１４０は、第１投射画像５１を投射するために用いられる。第１投射光学系１４０は、第１フォーカスレンズ１４１を含む。
【００２７】
第１駆動部１５０は、第１処理部２１０の制御下で第１フォーカスレンズ１４１の位置を調整する。ここで、第１フォーカスレンズ１４１の位置は、第１投射光学系１４０における第１フォーカスレンズ１４１の位置を意味する。投射面３における第１投射画像５１のフォーカスの状態は、第１フォーカスレンズ１４１の位置に応じて変わる。投射面３において第１投射画像５１のフォーカスが合う状態にする第１フォーカスレンズ１４１の位置は、第１プロジェクター１１と投射面３との距離に応じて変わる。
【００２８】
第１投射部１６０は、第１投射光学系１４０を介して、さらに言えば、第１フォーカスレンズ１４１を介して、第１投射画像５１を投射面３に投射する。
【００２９】
第１カメラ１７０は、投射面３を撮像することによって第１撮像データを生成する。第１カメラ１７０は、レンズ等の第１受光光学系１７１と、第１受光光学系１７１にて集光される光を電気信号に変換する第１撮像素子１７２と、を含む。第１撮像素子１７２は、例えば、ＣＣＤ（Charge Coupled Device）イメージセンサーである。第１撮像素子１７２は、ＣＣＤイメージセンサーに限らず、例えば、ＣＭＯＳ（Complementary Metal Oxide Semiconductor）イメージセンサーでもよい。
【００３０】
第１カメラ１７０は、第１プロジェクター１１とは別体として設けられてもよい。この場合、第１カメラ１７０と第１プロジェクター１１は、データの送受信ができるように有線または無線のインターフェイスにより相互に接続される。
【００３１】
第１音処理部１８０は、音信号を処理する。例えば、第１音処理部１８０は、第１操作部２２０が受ける音量指示に基づいて音信号を処理することによって、音信号が示す音量を変更する。第１スピーカー１９０は、第１音処理部１８０から出力される音信号に基づく音を出力する。
【００３２】
第１記憶部２００は、第１処理部２１０が読み取り可能な記録媒体である。第１記憶部２００は、例えば、不揮発性メモリーと揮発性メモリーとを含む。不揮発性メモリーとしては、例えば、ＲＯＭ（Read Only Memory）、ＥＰＲＯＭ（Erasable Programmable Read Only Memory）およびＥＥＰＲＯＭ（Electrically Erasable Programmable Read Only Memory）が挙げられる。揮発性メモリーとしては、例えば、ＲＡＭ（Random Access Memory）が挙げられる。
【００３３】
第１記憶部２００は、第１処理部２１０によって実行される制御プログラム２０１と、第１処理部２１０が使用する各種のデータ２０２と、を記憶する。
【００３４】
第１処理部２１０は、例えば、単数または複数のプロセッサーによって構成される。
一例を挙げると、第１処理部２１０は、単数または複数のＣＰＵ（Central Processing Unit）によって構成される。第１処理部２１０の機能の一部または全部は、ＤＳＰ（Digital Signal Processor）、ＡＳＩＣ（Application Specific Integrated Circuit）、ＰＬＤ（Programmable Logic Device）、ＦＰＧＡ（Field Programmable Gate Array）等の回路によって構成されてもよい。第１処理部２１０は、各種の処理を並列的または逐次的に実行する。
【００３５】
第１処理部２１０は、第１記憶部２００から制御プログラム２０１を読み取り実行することによって、第１設定部２１１、第１入出力制御部２１２、第１画像制御部２１３および第１音制御部２１４として機能する。
【００３６】
第１設定部２１１は、投射面３における第１投射画像５１のフォーカスの状態に基づいて、第１フォーカスレンズ１４１の位置を設定する。例えば、第１設定部２１１は、第１カメラ１７０が生成する第１撮像データに基づいて、投射面３における第１投射画像５１のフォーカスの状態を特定する。第１設定部２１１は、投射面３における第１投射画像５１のフォーカスの状態に基づいて、第１駆動部１５０を用いて第１フォーカスレンズ１４１の位置を設定する。
【００３７】
第１入出力制御部２１２は、第１入力部１１０が受けたＡＶ信号を２つに分ける。第１入出力制御部２１２は、２つのＡＶ信号の一方を第１出力部１２０へ出力する。第１入出力制御部２１２は、２つのＡＶ信号の他方を投射画像信号と音信号とに分ける。第１入出力制御部２１２は、投射画像信号を第１画像制御部２１３に提供し、音信号を第１音制御部２１４に提供する。
【００３８】
第１画像制御部２１３は、投射画像４における第１投射画像５１の領域を示す第１領域情報に基づいて、投射画像信号から、第１投射画像５１を示す第１画像信号を取得する。第１領域情報は、予めユーザーによって設定され第１記憶部２００に記憶されている。第１画像制御部２１３は、第１画像信号を第１投射部１６０に提供することによって、第１投射部１６０に第１投射画像５１を投射させる。
【００３９】
第１音制御部２１４は、第１フォーカスレンズ１４１の位置と、第２プロジェクター１２のフォーカスレンズの位置と、に基づいて、第１スピーカー１９０からの音の出力を制御する。
本実施形態では、第１音制御部２１４は、第１プロジェクター１１〜第８プロジェクター１８の各々におけるフォーカスレンズの位置に基づいて、第１プロジェクター１１〜第８プロジェクター１８の各々からの音の出力を制御する。
例えば、第１音制御部２１４は、第１プロジェクター１１〜第８プロジェクター１８の各々におけるフォーカスレンズの位置に基づいて、７．１チャネル信号内のチャネル信号のうち、第１プロジェクター１１〜第８プロジェクター１８の各々が使用するチャネル信号を指定する。第１音制御部２１４は、チャネル信号の指定結果を表すチャネル指示を、第２プロジェクター１２〜第８プロジェクター１８の各々に第１通信部１３０から送信する。
【００４０】
第１操作部２２０は、例えば、各種の操作ボタン、操作キーまたはタッチパネルである。第１操作部２２０は、第１プロジェクター１１の筐体に設けられている。第１操作部２２０は、ユーザーの入力操作を受け取る。なお、第１操作部２２０は、リモートコントローラーでもよい。
【００４１】
Ａ３：第２プロジェクター１２〜第８プロジェクター１８の一例
第２プロジェクター１２〜第８プロジェクター１８は、接続相手が異なる以外、相互に同一構成である。よって、説明の簡略化のため、第２プロジェクター１２〜第８プロジェクター１８のうち、第２プロジェクター１２の構成のみを説明する。第２プロジェクター１２は、他の表示装置の一例である。
【００４２】
図３は、第２プロジェクター１２の一例を示す図である。第２プロジェクター１２は、第２入力部５１０と、第２出力部５２０と、第２通信部５３０と、第２投射光学系５４０と、第２駆動部５５０と、第２投射部５６０と、第２カメラ５７０と、第２音処理部５８０と、第２スピーカー５９０と、第２記憶部６００と、第２処理部６１０と、第２操作部６２０と、を含む。
ここで、第２投射光学系５４０は、第１投射光学系１４０と同一構成である。第２投射部５６０は、第１投射部１６０と同一構成である。このため、第２プロジェクター１２から投射面３までの距離が、第１プロジェクター１１から投射面３までの距離と等しい場合、第２フォーカスレンズ５４１の位置は、第１フォーカスレンズ１４１の位置と等しくなる。第２フォーカスレンズ５４１の位置は、第２投射光学系５４０における第２フォーカスレンズ５４１の位置を意味する。
【００４３】
第２入力部５１０は、第４プロジェクター１４からＡＶ信号を受ける。第２入力部５１０は、例えば、ＨＤＭＩ規格のインターフェイスである。第２入力部５１０は、ＨＤＭＩ規格のインターフェイスに限らない。例えば、第２入力部５１０は、無線または有線のＬＡＮインターフェイスでもよい。
【００４４】
第２出力部５２０は、第２出力部５２０に他のプロジェクターが接続されている場合、第２入力部５１０が受けたＡＶ信号を当該他のプロジェクターへ出力する。第２出力部５２０は、例えば、ＨＤＭＩ規格のインターフェイスである。第２出力部５２０は、ＨＤＭＩ規格のインターフェイスに限らない。例えば、第２出力部５２０は、無線または有線のＬＡＮインターフェイスでもよい。
【００４５】
第２通信部５３０は、第４プロジェクター１４と通信する。第２通信部５３０は、第１通信部１３０が採用する通信方式と同一の通信方式で通信を実行する。第２通信部５３０は、第２フォーカスレンズ５４１の位置を示す位置情報を、第４プロジェクター１４の第２通信部５３０に送信する。第２通信部５３０は、送信部の一例である。
【００４６】
第２投射光学系５４０は、第２投射画像５２を投射するために用いられる。第２投射光学系５４０は、第２フォーカスレンズ５４１を含む。
【００４７】
第２駆動部５５０は、第２処理部６１０の制御下で第２フォーカスレンズ５４１の位置を調整する。
【００４８】
第２投射部５６０は、第２投射光学系５４０を介して、さらに言えば、第２フォーカスレンズ５４１を介して、第２投射画像５２を投射面３に投射する。第２投射部５６０は、第１投射部１６０と同一構成である。
【００４９】
第２カメラ５７０は、投射面３を撮像することによって第２撮像データを生成する。第２カメラ５７０は、レンズ等の第２受光光学系５７１と、第２受光光学系５７１にて集光される光を電気信号に変換する第２撮像素子５７２と、を含む。第２撮像素子５７２は、例えば、ＣＣＤイメージセンサーである。第２撮像素子５７２は、ＣＣＤイメージセンサーに限らず、例えば、ＣＭＯＳイメージセンサーでもよい。
【００５０】
第２カメラ５７０は、第２プロジェクター１２とは別体として設けられてもよい。この場合、第２カメラ５７０と第２プロジェクター１２は、データの送受信ができるように有線または無線のインターフェイスにより相互に接続される。
【００５１】
第２音処理部５８０は、音信号を処理する。例えば、第２音処理部５８０は、第２操作部６２０が受ける音量指示に基づいて音信号を処理することによって、音信号が示す音量を変更する。第２スピーカー５９０は、第２音処理部５８０が処理した音信号に基づく音を出力する。
【００５２】
第２記憶部６００は、第２処理部６１０が読み取り可能な記録媒体である。第２記憶部６００は、例えば、不揮発性メモリーと揮発性メモリーとを含む。第２記憶部６００は、第２処理部６１０によって実行される制御プログラム６０１と、第２処理部６１０が使用する各種のデータ６０２と、を記憶する。
【００５３】
第２処理部６１０は、例えば、単数または複数のプロセッサーによって構成される。一例を挙げると、第２処理部６１０は、単数または複数のＣＰＵによって構成される。第２処理部６１０の機能の一部または全部は、ＤＳＰ、ＡＳＩＣ、ＰＬＤ、ＦＰＧＡ等の回路によって構成されてもよい。第２処理部６１０は、各種の処理を並列的または逐次的に実行する。
【００５４】
第２処理部６１０は、第２記憶部６００から制御プログラム６０１を読み取り実行することによって、第２設定部６１１、第２入出力制御部６１２、第２画像制御部６１３および第２音制御部６１４として機能する。
【００５５】
第２設定部６１１は、投射面３における第２投射画像５２のフォーカスの状態に基づいて、第２フォーカスレンズ５４１の位置を設定する。第２設定部６１１による第２フォーカスレンズ５４１の位置の設定手法は、第１設定部２１１による第１フォーカスレンズ１４１の位置の設定手法と同様である。
【００５６】
第２入出力制御部６１２は、第２入力部５１０が受けたＡＶ信号を２つに分ける。第２入出力制御部６１２は、２つのＡＶ信号の一方を第２出力部５２０へ出力する。第２入出力制御部６１２は、２つのＡＶ信号の他方を投射画像信号と音信号に分ける。第２入出力制御部６１２は、投射画像信号を第２画像制御部６１３に提供し、音信号を第２音制御部６１４に提供する。
【００５７】
第２画像制御部６１３は、投射画像４における第２投射画像５２の領域を示す第２領域情報に基づいて、投射画像信号から、第２投射画像５２を示す第２画像信号を取得する。第２領域情報は、予めユーザーによって設定され第２記憶部６００に記憶されている。第２画像制御部６１３は、第２画像信号を第２投射部５６０に提供することによって、第２投射部５６０に第２投射画像５２を投射させる。
【００５８】
第２音制御部６１４は、第１プロジェクター１１から提供されるチャネル指示に基づいて、第２スピーカー５９０からの音の出力を制御する。
【００５９】
第２操作部６２０は、例えば、各種の操作ボタン、操作キーまたはタッチパネルである。第２操作部６２０は、第２プロジェクター１２の筐体に設けられている。第２操作部６２０は、ユーザーの入力操作を受け取る。なお、第２操作部６２０は、リモートコントローラーでもよい。
【００６０】
Ａ４：第１投射部１６０および第２投射部５６０の一例
第１投射部１６０および第２投射部５６０は、上述の通り相互に同一構成である。よって、説明の簡略化のため、第１投射部１６０および第２投射部５６０の構成のうち、第１投射部１６０の構成のみを説明する。
図４は、第１投射部１６０の一例を示す図である。第１投射部１６０は、画像処理部１６１と、フレームメモリー１６２と、ライトバルブ駆動部１６３と、光源１６４と、赤色用液晶ライトバルブ１６５Ｒと、緑色用液晶ライトバルブ１６５Ｇと、青色用液晶ライトバルブ１６５Ｂと、を含む。以下、赤色用液晶ライトバルブ１６５Ｒと、緑色用液晶ライトバルブ１６５Ｇと、青色用液晶ライトバルブ１６５Ｂとを相互に区別する必要がない場合、これらを「液晶ライトバルブ１６５」と称する。
【００６１】
画像処理部１６１は、単数または複数のイメージプロセッサー等の回路によって構成される。画像処理部１６１は、例えば、第１処理部２１０から画像信号を受け取る。
【００６２】
画像処理部１６１は、画像信号をフレームメモリー１６２に展開する。フレームメモリー１６２は、例えば、ＲＡＭ等の記憶装置によって構成される。画像処理部１６１は、フレームメモリー１６２に展開された画像信号に画像処理を施すことによって画像データを生成する。
【００６３】
画像処理部１６１が実行する画像処理は、例えば、解像度変換処理を包含する。解像度変換処理では、画像処理部１６１は、画像信号の解像度を、例えば液晶ライトバルブ１６５の解像度に変換する。画像処理部１６１は、解像度変換処理に加えて、他の画像処理、例えば、第１投射部１６０が投射する画像の台形歪みを補正する幾何補正処理を実行してもよい。
【００６４】
ライトバルブ駆動部１６３は、例えば、ドライバー等の回路で構成される。ライトバルブ駆動部１６３は、画像処理部１６１から提供される画像データに基づいて液晶ライトバルブ１６５を駆動する。
【００６５】
光源１６４は、例えば、ＬＥＤである。光源１６４は、ＬＥＤに限らず、例えば、キセノンランプ、超高圧水銀ランプ、またはレーザー光源でもよい。光源１６４から出射される光は、不図示のインテグレーター光学系によって輝度分布のばらつきが低減され、その後、不図示の色分離光学系によって光の３原色である赤色、緑色、青色の色光成分に分離される。赤色の色光成分は赤色用液晶ライトバルブ１６５Ｒに入射する。緑色の色光成分は緑色用液晶ライトバルブ１６５Ｇに入射する。青色の色光成分は青色用液晶ライトバルブ１６５Ｂに入射する。
【００６６】
液晶ライトバルブ１６５は、一対の透明基板間に液晶が存在する液晶パネル等によって構成される。液晶ライトバルブ１６５は、マトリクス状に位置する複数の画素１６５ｐを含む矩形の画素領域１６５ａを有する。液晶ライトバルブ１６５では、液晶に対して画素１６５ｐごとに駆動電圧が印加される。ライトバルブ駆動部１６３が、画像データに基づく駆動電圧を各画素１６５ｐに印加すると、各画素１６５ｐは、駆動電圧に基づく光透過率に設定される。光源１６４から出射される光は、画素領域１６５ａを通ることで変調され画像信号に基づく画像が色光ごとに形成される。液晶ライトバルブ１６５は、光変調装置の一例である。
【００６７】
各色の画像は、図示しない色合成光学系によって画素１６５ｐごとに合成され、カラー画像が生成される。
【００６８】
Ａ５：第２プロジェクター１２〜第８プロジェクター１８の動作の一例
第２プロジェクター１２〜第８プロジェクター１８は、上述の通り、接続相手が異なる以外、相互に同一構成である。よって、説明の簡略化のため、第２プロジェクター１２〜第８プロジェクター１８の動作のうち、第２プロジェクター１２の動作を中心に説明する。
【００６９】
図５は、第２プロジェクター１２の動作を説明するための図である。以下では、第２プロジェクター１２は、第２入力部５１０でＡＶ信号を受け、第２フォーカスレンズ５４１を介して第２投射画像５２を投射面３に投射しているとする。
【００７０】
ステップＳ１０１において第２設定部６１１は、第２フォーカスレンズ５４１の位置を設定する。
ステップＳ１０１では、まず、第２設定部６１１は、第２駆動部５５０を用いて第２フォーカスレンズ５４１の位置を移動させながら、第２カメラ５７０に第２撮像データを生成させ、第２撮像データが示す第２投射画像５２のフォーカスの状態を確認する。続いて、第２設定部６１１は、第２駆動部５５０を用いて、投射面３において第２投射画像５２のフォーカスが合う位置に第２フォーカスレンズ５４１の位置を設定する。
【００７１】
続いて、ステップＳ１０２において第２通信部５３０は、第２フォーカスレンズ５４１の位置を示す位置情報を、第４プロジェクター１４の第２通信部５３０に送信する。
例えば、第２設定部６１１が、第２フォーカスレンズ５４１の位置を示す位置情報を生成し、第２通信部５３０が、第２設定部６１１の生成した位置情報を、第４プロジェクター１４の第２通信部５３０に送信する。
【００７２】
次に、第３プロジェクター１３〜第８プロジェクター１８の各々に特有の動作を説明する。
【００７３】
第４プロジェクター１４は、第２プロジェクター１２における第２フォーカスレンズ５４１の位置を示す位置情報を受信すると、第２プロジェクター１２と第４プロジェクター１４の各々における第２フォーカスレンズ５４１の位置を示す位置情報を第６プロジェクター１６に送信する。
【００７４】
第６プロジェクター１６は、第２プロジェクター１２と第４プロジェクター１４の各々における第２フォーカスレンズ５４１の位置を示す位置情報を受信すると、第２プロジェクター１２と第４プロジェクター１４と第６プロジェクター１６の各々における第２フォーカスレンズ５４１の位置を示す位置情報を第８プロジェクター１８に送信する。
【００７５】
第８プロジェクター１８は、第２プロジェクター１２と第４プロジェクター１４と第６プロジェクター１６の各々における第２フォーカスレンズ５４１の位置を示す位置情報を受信すると、第２プロジェクター１２と第４プロジェクター１４と第６プロジェクター１６と第８プロジェクター１８の各々における第２フォーカスレンズ５４１の位置を示す位置情報を第７プロジェクター１７に送信する。
【００７６】
第７プロジェクター１７は、第２プロジェクター１２と第４プロジェクター１４と第６プロジェクター１６と第８プロジェクター１８の各々における第２フォーカスレンズ５４１の位置を示す位置情報を受信すると、第２プロジェクター１２と第４プロジェクター１４と第６プロジェクター１６〜第８プロジェクター１８の各々における第２フォーカスレンズ５４１の位置を示す位置情報を第５プロジェクター１５に送信する。
【００７７】
第５プロジェクター１５は、第２プロジェクター１２と第４プロジェクター１４と第６プロジェクター１６〜第８プロジェクター１８の各々における第２フォーカスレンズ５４１の位置を示す位置情報を受信すると、第２プロジェクター１２と第４プロジェクター１４〜第８プロジェクター１８の各々における第２フォーカスレンズ５４１の位置を示す位置情報を第３プロジェクター１３に送信する。
【００７８】
第３プロジェクター１３は、第２プロジェクター１２と第４プロジェクター１４〜第８プロジェクター１８の各々における第２フォーカスレンズ５４１の位置を示す位置情報を受信すると、第２プロジェクター１２〜第８プロジェクター１８の各々における第２フォーカスレンズ５４１の位置を示す位置情報を第１プロジェクター１１に送信する。
【００７９】
Ａ６：第１プロジェクター１１の動作の一例
図６は、第１プロジェクター１１の動作を説明するための図である。以下では、第１プロジェクター１１は、第１入力部１１０でＡＶ信号を受け、第１フォーカスレンズ１４１を介して第１投射画像５１を投射面３に投射しているとする。
【００８０】
ステップＳ２０１において第１通信部１３０は、第３プロジェクター１３から、第２プロジェクター１２〜第８プロジェクター１８の各々における第２フォーカスレンズ５４１の位置を示す位置情報を受信すると、当該位置情報を第１音制御部２１４に提供する。
【００８１】
続いて、ステップＳ２０２において第１設定部２１１は、第１フォーカスレンズ１４１の位置を設定する。
ステップＳ２０２では、まず、第１設定部２１１は、第１駆動部１５０を用いて第１フォーカスレンズ１４１の位置を移動させながら、第１カメラ１７０に第１撮像データを生成させ、第１撮像データが示す第１投射画像５１のフォーカスの状態を確認する。
続いて、第１設定部２１１は、第１駆動部１５０を用いて、投射面３において第１投射画像５１のフォーカスが合う位置に第１フォーカスレンズ１４１の位置を設定する。第１設定部２１１は、第１フォーカスレンズ１４１の位置を示す位置情報を第１音制御部２１４に提供する。
なお、ステップＳ２０１とステップＳ２０２との順番は逆でもよい。
【００８２】
続いて、ステップＳ２０３において第１音制御部２１４は、第１スピーカー１９０からの音の出力を制御する。
【００８３】
以下、ステップＳ２０３の一例を説明する。
第１音制御部２１４は、第１フォーカスレンズ１４１の位置に基づいて、投射面３と第１プロジェクター１１の間の第１距離を推定する。
例えば、第１音制御部２１４は、第１フォーカスレンズ１４１の位置と、投射面３と第１プロジェクター１１との間の距離とを、互いに対応させたテーブルを参照することによって、第１距離を推定する。
なお、第１音制御部２１４は、第１フォーカスレンズ１４１の位置と、投射面３と第１プロジェクター１１との間の距離と、の対応関係を示す関数を用いて、第１距離を推定してもよい。
【００８４】
また、第１音制御部２１４は、第２プロジェクター１２の第２フォーカスレンズ５４１の位置に基づいて、投射面３と第２プロジェクター１２との間の第２距離を推定する。
第１音制御部２１４は、第３プロジェクター１３の第２フォーカスレンズ５４１の位置に基づいて、投射面３と第３プロジェクター１３との間の第３距離を推定する。
第１音制御部２１４は、第４プロジェクター１４の第２フォーカスレンズ５４１の位置に基づいて、投射面３と第４プロジェクター１４との間の第４距離を推定する。
第１音制御部２１４は、第５プロジェクター１５の第２フォーカスレンズ５４１の位置に基づいて、投射面３と第５プロジェクター１５との間の第５距離を推定する。
第１音制御部２１４は、第６プロジェクター１６の第２フォーカスレンズ５４１の位置に基づいて、投射面３と第６プロジェクター１６との間の第６距離を推定する。
第１音制御部２１４は、第７プロジェクター１７の第２フォーカスレンズ５４１の位置に基づいて、投射面３と第７プロジェクター１７との間の第７距離を推定する。
第１音制御部２１４は、第８プロジェクター１８の第２フォーカスレンズ５４１の位置に基づいて、投射面３と第８プロジェクター１８との間の第８距離を推定する。
第２距離〜第８距離の各々の推定手法は、第１距離の推定手法と同様である。
【００８５】
第１音制御部２１４は、第１距離と第２距離との関係に基づいて、例えば、第１距離と第２距離との差と、第１距離と第２距離との大小関係とに応じて、第１スピーカー１９０からの音の出力を制御する。
【００８６】
一例を挙げると、第１音制御部２１４は、第２距離が第１距離と第１所定距離との和よりも長い場合、例えば、第１プロジェクター１１が前方位置に配置され、かつ、第２プロジェクター１２が後方位置に配置されている場合、第１スピーカー１９０へ供給すべき信号として、ＬＣ信号、ＲＣ信号、ＣＣ信号およびＬＦＥＣ信号のいずれかを割り当てる。第１所定距離は０ｍ以上の距離である。
【００８７】
第１距離が、第２距離と第２所定距離との和よりも長い場合、例えば、第１プロジェクター１１が後方位置に配置され、かつ、第２プロジェクター１２が前方位置に配置されている場合、第１音制御部２１４は、第１スピーカー１９０へ供給すべき信号として、ＳＬＣ信号、ＳＲＣ信号、ＳＢＬＣ信号およびＳＢＲＣ信号のいずれかを割り当てる。第２所定距離は０ｍ以上の距離である。第２所定距離は、第１所定距離と同一の距離でもよいし、第１所定距離と異なる距離でもよい。以下では、第２所定距離は、第１所定距離と同一の距離であるとする。
【００８８】
第２距離が第１距離と第１所定距離との和以下であり、かつ、第１距離が、第２距離と第２所定距離との和以下である場合、第１音制御部２１４は、第３距離〜第８距離のいずれかと第１距離との関係に基づいて、第１スピーカー１９０へ供給すべき信号を決定する。
【００８９】
例えば、第１距離が、第３距離から第８距離のいずれかと第２所定距離との和よりも長い場合、第１音制御部２１４は、第１スピーカー１９０へ供給すべき信号として、ＳＬＣ信号、ＳＲＣ信号、ＳＢＬＣ信号およびＳＢＲＣ信号のいずれか、例えば、ＳＬＣ信号を割り当てる。
第３距離から第８距離のいずれかが、第１距離と第１所定距離との和よりも長い場合、第１音制御部２１４は、第１スピーカー１９０へ供給すべき信号として、ＬＣ信号、ＲＣ信号、ＣＣ信号およびＬＦＥＣ信号のいずれか、例えば、ＬＣ信号を割り当てる。
図１では、第１スピーカー１９０にＬＣ信号が割り当てられた例が示されている。
【００９０】
続いて、第１音制御部２１４は、７．１チャネル信号に含まれる複数のチャネル信号のうち、第１スピーカー１９０へ供給すべき信号として割り当てられたチャネル信号を、第２音処理部５８０に提供することによって、第１スピーカー１９０からの音の出力を制御する。
ここまでが、ステップＳ２０３の一例の説明である。
【００９１】
続いて、ステップＳ２０４において第１プロジェクター１１は、第２プロジェクター１２〜第８プロジェクター１８の各々に対して、チャネル指示を第１通信部１３０から送信する。
【００９２】
以下、ステップＳ２０４の一例を説明する。
第１音制御部２１４は、第１距離を用いて、第２プロジェクター１２〜第８プロジェクター１８の各々へのチャネル指示を決定する。
【００９３】
例えば、第１音制御部２１４は、まず、第２プロジェクター１２〜第８プロジェクター１８を、投射面３までの距離と第１距離との差が第１所定距離以下である第１グループと、投射面３までの距離と第１距離との差が第１所定距離よりも長い第２グループと、に分ける。図１に示す例では、第３プロジェクター１３と第５プロジェクター１５と第７プロジェクター１７が第１グループに属し、２プロジェクター１２と第４プロジェクター１４と第６プロジェクター１６と第８プロジェクター１８が第２グループに属する。
【００９４】
第１音制御部２１４は、第１スピーカー１９０に、ＬＣ信号、ＲＣ信号、ＣＣ信号およびＬＦＥＣ信号のいずれかが割り当てられている場合、第１グループに属するプロジェクター１の各々に、ＬＣ信号、ＲＣ信号、ＣＣ信号およびＬＦＥＣ信号のうち、第１スピーカー１９０に割り当てられていないチャネル信号を、重複することなく割り当てる。
この場合、第１音制御部２１４は、第２グループに属するプロジェクター１の各々に、ＳＬＣ信号、ＳＲＣ信号、ＳＢＬＣ信号およびＳＢＲＣ信号のいずれかを、重複することなく割り当てる。
図１では、第２プロジェクター１２にＳＬＣ信号が割り当てられ、第３プロジェクター１３にＣＣ信号が割り当てられ、第４プロジェクター１４にＳＢＬＣ信号が割り当てられ、第５プロジェクター１５にＬＦＥＣ信号が割り当てられ、第６プロジェクター１６にＳＢＲＣ信号が割り当てられ、第７プロジェクター１７にＲＣ信号が割り当てられ、第８プロジェクター１８にＳＲＣ信号が割り当てられた例が示されている。
【００９５】
第１スピーカー１９０に、ＳＬＣ信号、ＳＲＣ信号、ＳＢＬＣ信号およびＳＢＲＣ信号のいずれかが割り当てられている場合、第１音制御部２１４は、第１グループに属するプロジェクター１の各々に、ＳＬＣ信号、ＳＲＣ信号、ＳＢＬＣ信号およびＳＢＲＣ信号のうち、第１スピーカー１９０に割り当てられていないチャネル信号を重複することなく割り当てる。この場合、第１音制御部２１４は、第２グループに属するプロジェクター１の各々に、ＬＣ信号、ＲＣ信号、ＣＣ信号およびＬＦＥＣ信号のいずれかを重複することなく割り当てる。
【００９６】
続いて、第１音制御部２１４は、チャネル信号の割り当て結果を示すチャネル指示を、第２プロジェクター１２〜第８プロジェクター１８の各々に第１通信部１３０から送信する。
ここまでが、ステップＳ２０４の一例の説明である。
【００９７】
第２プロジェクター１２〜第８プロジェクター１８の各々は、チャネル指示を受信し、当該チャネル指示に基づいて、７．１チャネル信号に含まれる複数のチャネル信号から、音の出力に使用するチャネル信号を選択する。第２プロジェクター１２〜第８プロジェクター１８の各々は、選択したチャネル信号に基づく音を出力する。
例えば、第２プロジェクター１２が受信したチャネル指示が、第２プロジェクター１２に対するＳＬＣ信号の割り当てを示す場合、第２プロジェクター１２の第２音制御部６１４は、７．１チャネル信号に含まれるＳＬＣ信号を第２音処理部５８０に提供することによって、第２スピーカー５９０からＳＬＣ信号に基づく音を出力させる。
【００９８】
なお、本実施形態において、第１音制御部２１４は、第１距離と第２距離との関係に基づいて、第１スピーカー１９０からの音量を制御してもよい。
例えば、第１音制御部２１４は、第２距離が、第１距離と第１所定距離との和よりも長い場合、第１スピーカー１９０からの音量を第１レベルよりも小さくし、第１距離が、第２距離と第２所定距離との和よりも長い場合、第１スピーカー１９０からの音量を第１レベルよりも大きくする。
さらに、第１音制御部２１４は、第１スピーカー１９０からの音量を第１レベルよりも小さくした場合、第１グループに属するプロジェクター１からの音量を第１レベルよりも小さくし、第２グループに属するプロジェクター１からの音量を第１レベルよりも大きくする。
また、第１音制御部２１４は、第１スピーカー１９０からの音量を第１レベルよりも大きくした場合、第１グループに属するプロジェクター１からの音量を第１レベルよりも大きくし、第２グループに属するプロジェクター１からの音量を第１レベルよりも小さくする。
なお、第１プロジェクター１１は、第１距離から第８距離に基づいて、第１プロジェクター１１から第８プロジェクター１８の各々から出力される音量を制御する場合、第１プロジェクター１１から第８プロジェクター１８の各々へのチャネル信号の割り当てを実行しなくてもよい。
【００９９】
また、本実施形態において、第１音制御部２１４は、チャネル信号の割り当て結果を、第１操作部２２０がユーザーから受ける修正指示に基づいて修正してもよい。
この構成によれば、第１音制御部２１４によるチャネル信号の割り当てが適切でない場合、ユーザーが、割り当て結果を修正可能になる。この場合、第１音制御部２１４によるチャネル信号の割り当て結果は、チャネル信号の割り当ての初期値として機能する。
この構成によれば、第１音制御部２１４によるチャネル信号の割り当てが適切である可能性があるため、ユーザーがすべての割り当てを行う場合に比べて、ユーザーが行わなければならない作業を低減できる。
【０１００】
Ａ７：第１実施形態についてのまとめ
上述の開示に係る音出力制御方法および表示システム１０００は以下の態様を含む。
【０１０１】
第１プロジェクター１１は、第１フォーカスレンズ１４１と、第１フォーカスレンズ１４１を介して第１投射画像５１を投射面３に投射する第１投射部１６０と、第１スピーカー１９０と、投射面３における第１投射画像５１のフォーカスの状態に基づいて第１フォーカスレンズ１４１の位置を設定する第１設定部２１１とを含む。
第２プロジェクター１２は、第２フォーカスレンズ５４１と、第２フォーカスレンズ５４１を介して第２投射画像５２を投射面３に投射する第２投射部５６０と、第２スピーカー５９０と、投射面３における第２投射画像５２のフォーカスの状態に基づいて第２フォーカスレンズ５４１の位置を設定する第２設定部６１１と、第２フォーカスレンズ５４１の位置に関する位置情報を送信する第２通信部５３０とを含む。
第１プロジェクター１１は、さらに、位置情報を受信する第１通信部１３０と、位置情報と、第１フォーカスレンズ１４１の位置と、に基づいて、第１スピーカー１９０からの音の出力を制御する第１音制御部２１４と、を含む。
【０１０２】
第１フォーカスレンズ１４１の位置は、第１プロジェクター１１と投射面３との間の距離に応じており、第２フォーカスレンズ５４１の位置は、第１プロジェクター１１と投射面３との間の距離に応じている。このため、この態様によれば、第１スピーカー１９０の音声出力状態の制御に、第１プロジェクター１１から投射面３までの距離に関する情報と、第２プロジェクター１２から投射面３までの距離に関する情報と、を反映できる。
【０１０３】
また、第１プロジェクター１１から投射面３までの距離に関する情報として、第１フォーカスレンズ１４１の位置が用いられる。このため、例えば、第１プロジェクター１１は、第１プロジェクター１１から投射面３までの距離に関する情報を得るために、第１プロジェクター１１から投射面３までの距離を実際に計測しなくてもよい。なお、第１プロジェクター１１は、第１プロジェクター１１から投射面３までの距離を実際に計測してもよい。
また、第２プロジェクター１２から投射面３までの距離に関する情報として、第２フォーカスレンズ５４１の位置が用いられる。このため、例えば、第２プロジェクター１２は、第２プロジェクター１２から投射面３までの距離に関する情報を得るために、第２プロジェクター１２から投射面３までの距離を実際に計測しなくてもよい。なお、第２プロジェクター１２は、第２プロジェクター１２から投射面３までの距離を実際に計測してもよい。
【０１０４】
第１音制御部２１４は、第１フォーカスレンズ１４１の位置に基づいて推定される投射面３と第１プロジェクター１１との間の第１距離と、位置情報に基づいて推定される投射面３と第２プロジェクター１２との間の第２距離と、の関係に基づいて、第１プロジェクター１１からの音の出力を制御する。この態様によれば、例えば、第１距離と第２距離との差と、第１距離と第２距離との大小関係とに応じて、第１プロジェクター１１からの音の出力を制御できる。
【０１０５】
第１音制御部２１４は、第２距離が、第１距離と第１所定距離との和よりも長い場合、サラウンドチャネル信号とは異なるチャネル信号に基づく音を出力し、第１距離が、第２距離と第２所定距離との和よりも長い場合、サラウンドチャネル信号に基づく音を出力する。この態様によれば、第１スピーカー１９０からのサラウンドオーディオ信号に基づく音の出力を、第１距離と第２距離との関係に応じて切り換えることをできる。
【０１０６】
Ｂ：変形例
以上に例示した実施形態の変形の態様を以下に例示する。以下の例示から任意に選択された２個以上の態様を、相互に矛盾しない範囲において適宜に併合してもよい。
【０１０７】
Ｂ１：第１変形例
第１実施形態において、第１音制御部２１４は、位置情報と、第１フォーカスレンズ１４１の位置と、デイジーチェーン方式における第１プロジェクター１１の接続の順番と、に基づいて、第１プロジェクター１１からの音の出力を制御してもよい。この場合、デイジーチェーン方式における第１プロジェクター１１の接続の順番を示す順番情報が第１記憶部２００に予め記憶され、第１音制御部２１４は、第１記憶部２００に記憶されている順番情報を参照することによって、デイジーチェーン方式における第１プロジェクター１１の接続の順番を認識する。
【０１０８】
例えば、第１音制御部２１４は、第２距離が、第１距離と第１所定距離との和よりも長く、デイジーチェーン方式における第１プロジェクター１１の接続の順番が１番である場合に、第１スピーカー１９０へ割り当てるべき信号としてＬＣ信号を割り当てる。
また、第２距離が、第１距離と第１所定距離との和よりも長く、デイジーチェーン方式における第１プロジェクター１１の接続の順番が２番である場合に、第１スピーカー１９０へ割り当てるべき信号としてＣＣ信号を割り当てる。
第１音制御部２１４は、第１距離と、第２距離と、デイジーチェーン方式における第１プロジェクター１１の接続の順番と、第１スピーカー１９０へ割り当てるべき信号と、の対応関係を示すテーブルを参照することによって、第１スピーカー１９０へ割り当てるべき信号を決定する。当該テーブルは、例えば、第１記憶部２００に記憶される。
【０１０９】
また、第１音制御部２１４は、第１距離から第８距離と、デイジーチェーン方式における第１プロジェクター１１から第８プロジェクター１８の各々の接続の順番と、第１プロジェクター１１から第８プロジェクター１８の各々に割り当てるべき信号と、の対応関係を示すテーブルを参照することによって、第１プロジェクター１１から第８プロジェクター１８の各々へ割り当てるべき信号を決定してもよい。当該テーブルは、例えば、第１記憶部２００に記憶される。また、デイジーチェーン方式における第１プロジェクター１１から第８プロジェクター１８の接続の順番を示す接続順番情報が第１記憶部２００に予め記憶され、第１音制御部２１４は、第１記憶部２００に記憶されている接続順番情報を参照することによって、デイジーチェーン方式における第１プロジェクター１１から第８プロジェクター１８の接続の順番を認識する。
【０１１０】
Ｂ２：第２変形例
第１実施形態および第１変形例において、第１音制御部２１４は、位置情報と、第１フォーカスレンズ１４１の位置と、投射画像４における第１投射画像５１の領域を示す第１領域情報と、に基づいて、第１プロジェクター１１からの音の出力を制御してもよい。
【０１１１】
例えば、第１音制御部２１４は、第２距離が、第１距離と第１所定距離との和よりも長く、第１領域情報が投射画像４の左上の領域を示す場合に、第１スピーカー１９０へ割り当てるべき信号としてＬＣ信号を割り当てる。
また、第２距離が、第１距離と第１所定距離との和よりも長く、第１領域情報が投射画像４の右上の領域を示す場合に、第１スピーカー１９０へ割り当てるべき信号としてＲＣ信号を割り当てる。
第１音制御部２１４は、第１距離と、第２距離と、第１領域情報と、第１スピーカー１９０へ割り当てるべき信号と、の対応関係を示すテーブルを参照することによって、第１スピーカー１９０へ割り当てるべき信号を決定する。当該テーブルは、例えば、第１記憶部２００に記憶される。
【０１１２】
また、第１音制御部２１４は、第１距離から第８距離と、第１領域情報と、第２プロジェクター１２から第８プロジェクター１８の各々の第２領域情報と、第１プロジェクター１１から第８プロジェクター１８の各々に割り当てるべき信号と、の対応関係を示すテーブルを参照することによって、第１プロジェクター１１から第８プロジェクター１８の各々へ割り当てるべき信号を決定してもよい。当該テーブルは、例えば、第１記憶部２００に記憶される。また、第２プロジェクター１２から第８プロジェクター１８の各々の第２領域情報が第１記憶部２００に予め記憶され、第１音制御部２１４は、第１記憶部２００に記憶されている第２プロジェクター１２から第８プロジェクター１８の各々の第２領域情報を参照するする。
【０１１３】
Ｂ３：第３変形例
第１実施形態および第１変形例〜第２変形例において、第１音制御部２１４は、表示システム１０００に含まれるプロジェクター１の数が４台以下の場合は、第１距離と第２距離とに基づくチャネル信号の割り当てを中止してもよい。
【０１１４】
表示システム１０００が４台のプロジェクター１にて構成される場合、第１音制御部２１４は、４台のプロジェクター１の各々に、ＬＣ信号、ＣＣ信号、ＬＦＥＣ信号、ＲＣ信号のいずれかを重複することなく割り当てる。
例えば、第１音制御部２１４は、４台のプロジェクター１に対して、デイジーチェーン方式における接続順に、ＬＣ信号、ＣＣ信号、ＬＦＥＣ信号、ＲＣ信号を割り当てる。
【０１１５】
表示システム１０００が３台のプロジェクター１にて構成される場合、第１音制御部２１４は、３台のプロジェクター１の各々に、ＬＣ信号、ＣＣ信号、ＲＣ信号のいずれかを重複することなく割り当てる。
例えば、第１音制御部２１４は、３台のプロジェクター１に対して、デイジーチェーン方式における接続順に、ＬＣ信号、ＣＣ信号、ＲＣ信号を割り当てる。
【０１１６】
表示システム１０００が２台のプロジェクター１にて構成される場合、第１音制御部２１４は、２台のプロジェクター１の各々に、ＬＣ信号、ＲＣ信号のいずれかを重複することなく割り当てる。
例えば、第１音制御部２１４は、２台のプロジェクター１に対して、デイジーチェーン方式における接続順に、ＬＣ信号、ＲＣ信号を割り当てる。
【０１１７】
なお、第１プロジェクター１１が有するＥＤＩＤ（Extended Display Identification Data）のShort Audio Descriptorに示される最大チャネル数が、表示システム１０００を構成するプロジェクター１の数に応じて変更されてもよい。
図７は、第１操作部２２０を用いて最大チャネル数を設定するためのメニュー画面の一例を示す図である。図７に示すメニュー画面では、ユーザーが第１操作部２２０を用いて設定可能な最大チャネル数の候補が、表示システム１０００を構成するプロジェクター１の数に応じて変更される。
例えば、表示システム１０００を構成するプロジェクター１の数が２台である場合、最大チャネル数として２チャネルのみが設定可能に表示される。
表示システム１０００を構成するプロジェクター１の数が３〜５台のいずれかである場合、最大チャネル数として、２チャネル、２．１チャネルおよび３チャネルが設定可能に表示される。
表示システム１０００を構成するプロジェクター１の数が６〜７台である場合、最大チャネル数として、２チャネル、２．１チャネル、３チャネルおよび５．１チャネルが設定可能に表示される。
表示システム１０００を構成するプロジェクター１の数が８台以上である場合、最大チャネル数として、２チャネル、２．１チャネル、３チャネル、５．１チャネルおよび７．１チャネルが設定可能に表示される。
図７において、選択不能なチャネルは、グレーアウトで表示される。なお、選択不能なチャネルは、クレーアウト表示ではなく、非表示にされてもよい。なお、メニュー画面の表示は、例えば、第１画像制御部２１３によって制御される。
【０１１８】
第１プロジェクター１１のＥＤＩＤに最大チャネル数が設定されている場合、ソース機器２は、ＥＤＩＤに設定されている最大チャネル数以下のチャネル数のうち、ソース機器２が出力可能な最大のチャネル数の音信号を、第１プロジェクター１１に提供する。
【０１１９】
Ｂ４：第４変形例
第１実施形態および第１変形例〜第３変形例において、第２プロジェクター１２〜第８プロジェクター１８の各々は、第１プロジェクター１１が第１スピーカー１９０からの音の出力を制御する機能と同様の機能を有し、自立的に第２スピーカー５９０からの音の出力を制御してもよい。この場合、第１プロジェクター１１は、チャネル指示の送信を実行しない。
【０１２０】
Ｂ５：第５変形例
第１実施形態および第１変形例〜第４変形例において、光変調装置の一例として液晶ライトバルブ１６５が用いられたが、光変調装置は液晶ライトバルブに限らず適宜変更可能である。例えば、光変調装置は、３枚の反射型の液晶パネルを用いた構成であってもよい。また、光変調装置は、１枚の液晶パネルを用いた方式、３枚のデジタルミラーデバイス（ＤＭＤ）を用いた方式、１枚のデジタルミラーデバイスを用いた方式等の構成であってもよい。光変調装置として１枚のみの液晶パネルまたはＤＭＤが用いられる場合、色分離光学系および色合成光学系に相当する部材は不要である。また、液晶パネルおよびＤＭＤ以外にも、光源２１が発した光を変調可能な構成は、光変調装置として採用できる。
【符号の説明】
【０１２１】
２…ソース機器、１１…第１プロジェクター、１２…第２プロジェクター、１３…第３プロジェクター、１４…第４プロジェクター、１５…第５プロジェクター、１６…第６プロジェクター、１７…第７プロジェクター、１８…第８プロジェクター、１１０…第１入力部、１２０…第１出力部、１３０…第１通信部、１４０…第１投射光学系、１４１…第１フォーカスレンズ、１６０…第１投射部、１８０…第１音処理部、１９０…第１スピーカー、２１１…第１設定部、２１２…第１入出力制御部、２１３…第１画像制御部、２１４…第１音制御部、１０００…表示システム。
【図１】
2020182049.tif 000003
【図２】
2020182049.tif 000004
【図３】
2020182049.tif 000005
【図４】
2020182049.tif 000006
【図５】
2020182049.tif 000007
【図６】
2020182049.tif 000008
【図７】
2020182049.tif 000009